【手続補正書】
【提出日】平成24年2月7日(2012.2.7)
【手続補正１】
【補正対象書類名】明細書
【補正対象項目名】発明の名称
【補正方法】変更
【補正の内容】
【発明の名称】画像処理方法、表示装置、およびコンピュータプログラム
【手続補正２】
【補正対象書類名】特許請求の範囲
【補正対象項目名】全文
【補正方法】変更
【補正の内容】
【特許請求の範囲】
【請求項１】
複数のフレーム画像で構成される動画像を処理する画像処理方法であり、
少なくとも１つのフレーム画像を、移動体を構成する画素群でなる移動体領域と、前記移動体を構成しない画素群でなる背景領域とに区分し、
前記背景領域に画像処理を行って、前記フレーム画像から補正フレーム画像を作成し、
前記画像処理はぼかし処理であり、前記移動体領域が前記フレーム画像に占める割合が大きいほど、前記背景領域へのぼかしの効果を強調する画像処理であることを特徴とする画像処理方法。
【請求項２】
複数のフレーム画像で構成される動画像を処理する画像処理方法であり、
少なくとも１つのフレーム画像を、移動体を構成する画素群でなる移動体領域と、前記移動体を構成しない画素群でなる背景領域とに区分し、
当該フレーム画像の前記背景領域に第１の画像処理を行い、かつ、前記移動体領域に第２の画像処理を行うことで、補正フレーム画像を作成し、
前記第１の画像処理と前記第２の画像処理とは異なる画像処理であり、
前記第１の画像処理は、ぼかし処理であり、前記移動体領域が前記フレーム画像に占める割合が大きいほど、前記背景領域へのぼかしの効果を強調する画像処理であることを特徴とする画像処理方法。
【請求項３】
複数のフレーム画像で構成される動画像を処理する画像処理方法であり、
補正対象となる第１のフレーム画像と前記第１のフレーム画像のｋフレーム前（ｋは自然数）の第２のフレーム画像との差分、および前記第１のフレーム画像と前記第１のフレーム画像のｋフレーム後の第３のフレーム画像との差分をもとに、前記第１のフレーム画像から移動体を構成する画素を抽出し、前記移動体を構成する画素群でなる移動体領域と、前記移動体を構成しない画素群でなる背景領域とでなるマスク画像を作成し、
前記マスク画像を用いて、前記第１のフレーム画像を構成する各画素について、前記背景領域または前記移動体領域のどちらの領域に含まれるかを判定し、
前記背景領域に含まれる画素に画像処理を行うことで、前記第１のフレーム画像から補正フレーム画像を作成し、
前記画像処理は、ぼかし処理であり、前記移動体領域が前記第１のフレーム画像に占める割合が大きいほど、前記背景領域へのぼかしの効果を強調する処理であることを特徴とする画像処理方法。
【請求項４】
複数のフレーム画像で構成される動画像を処理する画像処理方法であり、
補正対象となる第１のフレーム画像と前記第１のフレーム画像のｋフレーム前（ｋは自然数）の第２のフレーム画像との差分、および前記第１のフレーム画像と前記第１のフレーム画像のｋフレーム後の第３のフレーム画像との差分をもとに、前記第１のフレーム画像から移動体を構成する画素を抽出し、前記移動体を構成する画素群でなる移動体領域と、前記移動体を構成しない画素群でなる背景領域とでなるマスク画像を作成し、
前記マスク画像を用いて、前記第１のフレーム画像を構成する各画素について、前記背景領域または前記移動体領域のどちらの領域に含まれるかを判定し、
前記背景領域に含まれる画素に対して第１の画像処理を行い、かつ前記移動体領域に含まれる画素に対して第２の画像処理を行うことで、前記第１のフレーム画像から補正フレーム画像を作成し、
前記第１の画像処理と前記第２の画像処理とは異なる画像処理であり、
前記第１の画像処理は、ぼかし処理であり、前記移動体領域が前記第１のフレーム画像に占める割合が大きいほど、前記背景領域へのぼかしの効果を強調する画像処理であることを特徴とする画像処理方法。
【請求項５】
請求項１又は３において、
前記移動体領域の前記フレーム画像に占める割合が所定の値よりも小さい場合、前記背景領域に対して前記ぼかし処理を行わないことを特徴とする画像処理方法。
【請求項６】
請求項２又は４において、
前記移動体領域の前記第１のフレーム画像に占める割合が所定の値よりも小さい場合、前記第１の画像処理では、前記背景領域の画素に前記ぼかし処理を行わないことを特徴とする画像処理方法。
【請求項７】
請求項２又は４において、
前記第２の画像処理として、鮮鋭化処理、コントラストを強調するコントラスト変換処理、および輪郭強調処理のうちの少なくとも１つの画像処理を行うことを特徴とする画像処理方法。
【請求項８】
請求項１乃至７のいずれか１項において、
前記ぼかし処理として、平均化処理、メディアンフィルタ処理、コントラストを弱めるコントラスト変換処理、およびモザイク処理のうちの少なくとも１つの画像処理を行うことを特徴とする画像処理方法。
【請求項９】
複数のフレーム画像で構成される動画像を表示する画像表示部と、
少なくとも１つのフレーム画像から移動体を抽出して、前記フレーム画像を、前記移動体を構成する画素群でなる移動体領域と、前記移動体を構成しない画素群でなる背景領域とに区分する移動体抽出部と、
前記背景領域に画像処理を行って、補正フレーム画像を作成する補正フレーム画像作成部と、を有し、
前記画像表示部は、前記補正フレーム画像を表示し、
前記画像処理は、ぼかし処理であり、前記移動体領域が前記フレーム画像に占める割合が大きいほど、前記背景領域へのぼかしの効果を強調する画像処理であることを特徴とする表示装置。
【請求項１０】
複数のフレーム画像で構成される動画像を表示する画像表示部と、
少なくとも１つのフレーム画像から移動体を抽出して、前記フレーム画像を、前記移動体を構成する画素群でなる移動体領域と、前記移動体を構成しない画素群でなる背景領域とに区分する移動体抽出部と、
当該フレーム画像の前記背景領域に第１の画像処理を行い、かつ、前記移動体領域に第２の画像処理を行うことで、補正フレーム画像を作成する補正フレーム画像作成部と、を有し、
前記画像表示部は、前記補正フレーム画像を表示し、
前記第１の画像処理と前記第２の画像処理とは異なる画像処理であり、
前記第１の画像処理は、ぼかし処理であり、前記移動体領域が前記フレーム画像に占める割合が大きいほど、前記背景領域へのぼかしの効果を強調する画像処理であることを特徴とする表示装置。
【請求項１１】
複数のフレーム画像で構成される動画像を表示する画像表示部と、
補正対象となる第１のフレーム画像と前記第１のフレーム画像のｋフレーム前（ｋは自然数）の第２のフレーム画像との差分、および前記第１のフレーム画像と前記第１のフレーム画像のｋフレーム後の第３のフレーム画像との差分をもとに、前記第１のフレーム画像から移動体を構成する画素を抽出し、前記移動体を構成する画素群でなる移動体領域と、前記移動体を構成しない画素群でなる背景領域とでなるマスク画像を作成するマスク画像作成部と、
前記マスク画像を用いて、前記第１のフレーム画像を構成する各画素について、前記背景領域または前記移動体領域のどちらの領域に含まれるかを判定し、前記背景領域の画素に画像処理を行い、補正フレーム画像を作成する補正フレーム画像作成部と、を有し、
前記画像表示部は、前記補正フレーム画像を表示し、
前記画像処理は、ぼかし処理であり、前記移動体領域が前記第１のフレーム画像に占める割合が大きいほど、前記背景領域へのぼかしの効果を強調する画像処理であることを特徴とする表示装置。
【請求項１２】
複数のフレーム画像で構成される動画像を表示する画像表示部と、
補正対象となる第１のフレーム画像と前記第１のフレーム画像のｋフレーム前（ｋは自然数）の第２のフレーム画像との差分、および前記第１のフレーム画像と前記第１のフレーム画像のｋフレーム後の第３のフレーム画像との差分をもとに、前記第１のフレーム画像から移動体を構成する画素を抽出し、前記移動体を構成する画素群でなる移動体領域と、前記移動体を構成しない画素群でなる背景領域とでなるマスク画像を作成するマスク画像作成部と、
前記マスク画像を用いて、前記第１のフレーム画像を構成する各画素について、前記背景領域または前記移動体領域のどちらの領域に含まれるかを判定し、前記背景領域の画素に第１の画像処理を行い、かつ、前記移動体領域の画素に第２の画像処理を行うことで、補正フレーム画像を作成する補正フレーム画像作成部と、を有し、
前記画像表示部は、前記補正フレーム画像を表示し、
前記第１の画像処理と前記第２の画像処理とは異なる画像処理であり、
前記第１の画像処理は、ぼかし処理であり、前記移動体領域が前記第１のフレーム画像に占める割合が大きいほど、前記背景領域へのぼかしの効果を強調する画像処理であることを特徴とする表示装置。
【請求項１３】
請求項９又は１０において、
前記補正フレーム画像作成部は、前記移動体領域の前記フレーム画像に占める割合が所定の値よりも小さい場合、前記背景領域の画素に前記ぼかし処理を行わないことを特徴とする表示装置。
【請求項１４】
請求項１１又は１２において、
前記補正フレーム画像作成部は、前記移動体領域の前記第１のフレーム画像に占める割合が所定の値よりも小さい場合、前記第１の画像処理では、前記背景領域の画素に前記ぼかし処理を行わないことを特徴とする表示装置。
【請求項１５】
請求項１１又は１２において、
前記補正フレーム画像作成部は、前記第２の画像処理として、鮮鋭化処理、コントラストを強調するコントラスト変換処理、および輪郭強調処理のうちの少なくとも１つの画像処理を行うことを特徴とする表示装置。
【請求項１６】
請求項９乃至１５のいずれか１項において、
前記補正フレーム画像作成部は、前記ぼかし処理として、平均化処理、メディアンフィルタ処理、コントラストを弱めるコントラスト変換処理、およびモザイク処理のうちの少なくとも１つの画像処理を行うことを特徴とする表示装置。
【請求項１７】
画像処理装置が複数のフレーム画像で構成される動画像の画像処理を行うためのコンピュータプログラムであり、
少なくとも１つのフレーム画像から移動体を抽出して、前記フレーム画像を、前記移動体を構成する画素群でなる移動体領域と、前記移動体を構成しない画素群でなる背景領域とに区分する処理と、
前記背景領域に画像処理を行い、補正フレーム画像を作成する処理と、を含む画像処理を、前記画像処理装置に実行させ、
前記補正フレーム画像を作成する処理で前記背景領域に行われる前記画像処理は、ぼかし処理であり、前記移動体領域が前記フレーム画像に占める割合が大きいほど、前記背景領域へのぼかしの効果を強調する画像処理であることを特徴とするコンピュータプログラム。
【請求項１８】
画像処理装置が複数のフレーム画像で構成される動画像の画像処理を行うためのコンピュータプログラムであり、
少なくとも１つのフレーム画像から移動体を抽出して、前記フレーム画像を、前記移動体を構成する画素群でなる移動体領域と、前記移動体を構成しない画素群でなる背景領域とに区分する処理と、
当該フレーム画像の前記背景領域に第１の画像処理を行い、かつ、前記移動体領域に第２の画像処理を行うことで、補正フレーム画像を作成する処理と、を含む画像処理を、前記画像処理装置に実行させ、
前記第１の画像処理と前記第２の画像処理とは異なる画像処理であり、
前記第１の画像処理は、ぼかし処理であり、前記移動体領域が前記フレーム画像に占める割合が大きいほど、前記背景領域へのぼかしの効果を強調する画像処理であることを特徴とするコンピュータプログラム。
【請求項１９】
画像処理装置が複数のフレーム画像で構成される動画像の画像処理を行うためのコンピュータプログラムであり、
補正対象となる第１のフレーム画像と前記第１のフレーム画像のｋフレーム前（ｋは自然数）の第２のフレーム画像との差分、および前記第１のフレーム画像と前記第１のフレーム画像のｋフレーム後の第３のフレーム画像との差分をもとに、前記第１のフレーム画像から移動体を構成する画素を抽出し、前記移動体を構成する画素群でなる移動体領域と、前記移動体を構成しない画素群でなる背景領域とでなるマスク画像を作成する処理と、
前記マスク画像を用いて、前記第１のフレーム画像を構成する各画素について、前記背景領域または前記移動体領域のどちらの領域に含まれるかを判定し、前記背景領域の画素に画像処理を行い、補正フレーム画像を作成する処理と、を含む画像処理を、前記画像処理装置に実行させ、
前記補正フレーム画像を作成する処理で前記背景領域に行われる前記画像処理は、ぼかし処理であり、前記移動体領域が前記第１のフレーム画像に占める割合が大きいほど、前記背景領域へのぼかしの効果を強調する画像処理であることを特徴とするコンピュータプログラム。
【請求項２０】
画像処理装置が複数のフレーム画像で構成される動画像の画像処理を行うためのコンピュータプログラムであり、
補正対象となる第１のフレーム画像と前記第１のフレーム画像のｋフレーム前（ｋは自然数）の第２のフレーム画像との差分、および前記第１のフレーム画像と前記第１のフレーム画像のｋフレーム後の第３のフレーム画像との差分をもとに、前記第１のフレーム画像から移動体を構成する画素を抽出し、前記移動体を構成する画素群でなる移動体領域と、前記移動体を構成しない画素群でなる背景領域とでなるマスク画像を作成する処理と、
前記マスク画像を用いて、前記第１のフレーム画像を構成する各画素について、前記背景領域または前記移動体領域のどちらの領域に含まれるかを判定し、前記背景領域の画素に第１の画像処理を行い、かつ、前記移動体領域の画素に第２の画像処理を行うことで、補正フレーム画像を作成する処理と、を含む画像処理を、前記画像処理装置に実行させ、
前記第１の画像処理と前記第２の画像処理とは異なる画像処理であり、
前記第１の画像処理は、ぼかし処理であり、前記移動体領域が前記第１のフレーム画像に占める割合が大きいほど、前記背景領域へのぼかしの効果を強調する画像処理であることを特徴とするコンピュータプログラム。
【請求項２１】
請求項１７又は１８において、
前記移動体領域の前記フレーム画像に占める割合が所定の値よりも小さい場合、前記背景領域の画素にぼかし処理を行わないことを特徴とするコンピュータプログラム。
【請求項２２】
請求項１９又は２０において、
前記移動体領域の前記第１のフレーム画像に占める割合が所定の値よりも小さい場合、前記第１の画像処理では、前記画素にぼかし処理を行わないことを特徴とするコンピュータプログラム。
【請求項２３】
請求項１９又は２０において、
前記第２の画像処理として、鮮鋭化処理、コントラストを強調するコントラスト変換処理、および輪郭強調処理のうちの少なくとも１つの画像処理を行うことを特徴とするコンピュータプログラム。
【請求項２４】
請求項１７乃至２３のいずれか１項において、
前記ぼかし処理として、平均化処理、メディアンフィルタ処理、コントラストを弱めるコントラスト変換処理、およびモザイク処理のうちの少なくとも１つの画像処理を行うことを特徴とするコンピュータプログラム。